【手続補正書】
【提出日】平成31年4月10日(2019.4.10)
【手続補正１】
【補正対象書類名】特許請求の範囲
【補正対象項目名】全文
【補正方法】変更
【補正の内容】
【特許請求の範囲】
【請求項１】
複数の通信インターフェイスを有する通信ネットワークデバイスにおいて実行され、前記通信インターフェイスのうちの第１の通信インターフェイスが第１の周波数で動作する無線インターフェイスである方法であって、前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継する方法において、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
方法。
【請求項２】
前記第１のフレームの受信より前に、前記第２の通信インターフェイスが、前記第１の周波数で動作する無線インターフェイスである場合に、
前記第２の通信インターフェイスを介して前記第１のフレームの前記送信器からアソシエーション要求を受信することと、
前記送信器のアドレスとは異なる仮想アドレスによって識別される前記通信ネットワークデバイス内の仮想クライアントを生成することと
を有する請求項１に記載の方法。
【請求項３】
前記第１のフレームの受信より前に、前記第２の通信インターフェイスが、前記第１の周波数とは異なる周波数で動作するか又は前記第１の通信インターフェイスの通信プロトコルとは異なる通信プロトコルを用いる無線インターフェイスである場合に、
前記第１の通信インターフェイスを介して前記第１のフレームの前記送信器からアソシエーション要求を受信することと、
前記送信器のアドレスの値を割り当てられている仮想アドレスによって識別される前記通信ネットワークデバイス内の仮想クライアントを生成することと
を有する請求項１又は２に記載の方法。
【請求項４】
前記第２の通信インターフェイスが有線インターフェイスである場合に、前記第１のフレームの送信器のアドレスの値を割り当てられている仮想アドレスによって識別される仮想クライアントを生成すること
を有する請求項１乃至３のうちいずれか一項に記載の方法。
【請求項５】
前記第２のフレームのソースアドレスは、前記仮想クライアントの前記仮想アドレスである、
請求項２乃至４のうちいずれか一項に記載の方法。
【請求項６】
前記第１のフレーム及び／又は前記第２のフレームは、Ｅｔｈｅｒｎｅｔ（登録商標）フレームである、
請求項１乃至５のうちいずれか一項に記載の方法。
【請求項７】
複数の通信インターフェイスのうちの第１の通信インターフェイスが第１の周波数で動作する無線インターフェイスである前記複数の通信インターフェイスと、
前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継するよう構成される少なくとも１つのプロセッサと
を有し、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
通信ネットワークデバイス。
【請求項８】
前記少なくとも１つのプロセッサは、前記第１のフレームの受信より前に、前記第２の通信インターフェイスが、前記第１の周波数で動作する無線インターフェイスである場合に、
前記第２の通信インターフェイスを介して前記第１のフレームの前記送信器からアソシエーション要求を受信し、
前記送信器のアドレスとは異なる仮想アドレスによって識別される当該通信ネットワークデバイス内の仮想クライアントを生成する
よう構成される、請求項７に記載の通信ネットワークデバイス。
【請求項９】
前記少なくとも１つのプロセッサは、前記第１のフレームの受信より前に、前記第２の通信インターフェイスが、前記第１の周波数とは異なる周波数で動作するか又は前記第１の通信インターフェイスの通信プロトコルとは異なる通信プロトコルを用いる無線インターフェイスである場合に、
前記第１の通信インターフェイスを介して前記第１のフレームの前記送信器からアソシエーション要求を受信し、
前記送信器のアドレスの値を割り当てられている仮想アドレスによって識別される当該通信ネットワークデバイス内の仮想クライアントを生成する
よう構成される、請求項７又は８に記載の通信ネットワークデバイス。
【請求項１０】
複数の通信インターフェイスのうちの第１の通信インターフェイスが第１の周波数で動作する無線インターフェイスである前記複数の通信インターフェイスと、前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継するよう構成される少なくとも１つのプロセッサとを有する通信ネットワークデバイスを有し、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
システム。
【請求項１１】
当該システムは、無線デバイスを更に有し、
前記プロセッサは、前記第１の通信インターフェイスを前記無線デバイスと関連付けるよう構成される、
請求項１０に記載のシステム。
【請求項１２】
前記無線デバイスは、
ゲートウェイ、
中継器、
ルーター、及び
クライアントデバイス
を含むグループの中から選択された少なくとも１つのデバイスである、
請求項１１に記載のシステム。
【請求項１３】
前記無線デバイスは、ＤＨＣＰサーバを有する、
請求項１１又は１２に記載のシステム。
【請求項１４】
コンピュータによって実行される場合に、
複数の通信インターフェイスを有する通信ネットワークデバイスにおいて実行され、前記通信インターフェイスのうちの第１の通信インターフェイスが第１の周波数で動作する無線インターフェイスである方法であって、前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継する方法において、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
方法を実行するプログラムコード命令を有することを特徴とするコンピュータプログラム。
【請求項１５】
ソフトウェアプログラムを担持するコンピュータ可読記憶媒体であって、
前記ソフトウェアプログラムは、該ソフトウェアプログラムがコンピュータによって実行される場合に、
複数の通信インターフェイスを有する通信ネットワークデバイスにおいて実行され、前記通信インターフェイスのうちの第１の通信インターフェイスが第１の周波数で動作する無線インターフェイスである方法であって、前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継する方法において、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
方法を実行するプログラムコード命令を有する、
ことを特徴とするコンピュータ可読記憶媒体。
【手続補正２】
【補正対象書類名】明細書
【補正対象項目名】０１００
【補正方法】変更
【補正の内容】
【０１００】
３０                    通信ネットワークデバイス
３１                    マイクロプロセッサ（又はＣＰＵ）
３８                    有線通信インターフェイス
１００                  無線分配システム
１１０                  中継器
１２０，１２２，１２４  無線クライアントデバイス
１２６                  有線クライアントデバイス
１３０                  ネットワークインターコネクションデバイス
１１２，１３２          カバレッジエリア
１４０                  他のネットワーク
３７１                  第１の通信インターフェイス
３７２                  第２の通信インターフェイス
１１０２，１１０４      中継器の無線インターフェイス
１１０６                中継器の有線インターフェイス
１１０８，１１００      仮想クライアント
１２４２，１２６２      ＭＡＣアドレス
１３００，１３０２      ゲートウェイの無線インターフェイス
［付記１］
複数の通信インターフェイスを有する通信ネットワークデバイスにおいて実行され、前記通信インターフェイスのうちの第１の通信インターフェイスが第１の周波数で動作する無線インターフェイスである方法であって、前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継する方法において、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
方法。
［付記２］
前記第１のフレームの受信より前に、前記第２の通信インターフェイスが、前記第１の周波数で動作する無線インターフェイスである場合に、
前記第２の通信インターフェイスを介して前記第１のフレームの前記送信器からアソシエーション要求を受信するステップと、
前記送信器のアドレスとは異なる仮想アドレスによって識別される前記通信ネットワークデバイス内の仮想クライアントを生成するステップと
を有する付記１に記載の方法。
［付記３］
前記第１のフレームの受信より前に、前記第２の通信インターフェイスが、前記第１の周波数とは異なる周波数で動作するか又は前記第１の通信インターフェイスの通信プロトコルとは異なる通信プロトコルを用いる無線インターフェイスである場合に、
前記第１の通信インターフェイスを介して前記第１のフレームの前記送信器からアソシエーション要求を受信するステップと、
前記送信器のアドレスの値を割り当てられている仮想アドレスによって識別される前記通信ネットワークデバイス内の仮想クライアントを生成するステップと
を有する付記１又は２に記載の方法。
［付記４］
前記第２の通信インターフェイスが有線インターフェイスである場合に、前記第１のフレームの送信器のアドレスの値を割り当てられている仮想アドレスによって識別される仮想クライアントを生成するステップ
を有する付記１乃至３のうちいずれか一項に記載の方法。
［付記５］
前記第２のフレームのソースアドレスは、前記仮想クライアントの前記仮想アドレスである、
付記２乃至４のうちいずれか一項に記載の方法。
［付記６］
前記第１のフレーム及び／又は前記第２のフレームは、Ｅｔｈｅｒｎｅｔ（登録商標）フレームである、
付記１乃至５のうちいずれか一項に記載の方法。
［付記７］
複数の通信インターフェイスのうちの第１の通信インターフェイスが第１の周波数で動作する無線インターフェイスである前記複数の通信インターフェイスと、
前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継するよう構成される少なくとも１つのプロセッサと
を有し、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
通信ネットワークデバイス。
［付記８］
前記少なくとも１つのプロセッサは、前記第１のフレームの受信より前に、前記第２の通信インターフェイスが、前記第１の周波数で動作する無線インターフェイスである場合に、
前記第２の通信インターフェイスを介して前記第１のフレームの前記送信器からアソシエーション要求を受信し、
前記送信器のアドレスとは異なる仮想アドレスによって識別される当該通信ネットワークデバイス内の仮想クライアントを生成する
よう構成される、付記７に記載の通信ネットワークデバイス。
［付記９］
前記少なくとも１つのプロセッサは、前記第１のフレームの受信より前に、前記第２の通信インターフェイスが、前記第１の周波数とは異なる周波数で動作するか又は前記第１の通信インターフェイスの通信プロトコルとは異なる通信プロトコルを用いる無線インターフェイスである場合に、
前記第１の通信インターフェイスを介して前記第１のフレームの前記送信器からアソシエーション要求を受信し、
前記送信器のアドレスの値を割り当てられている仮想アドレスによって識別される当該通信ネットワークデバイス内の仮想クライアントを生成する
よう構成される、付記７又は８に記載の通信ネットワークデバイス。
［付記１０］
複数の通信インターフェイスのうちの第１の通信インターフェイスが第１の周波数で動作する無線インターフェイスである前記複数の通信インターフェイスと、前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継するよう構成される少なくとも１つのプロセッサとを有する通信ネットワークデバイスを有し、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
システム。
［付記１１］
当該システムは、無線デバイスを更に有し、
前記プロセッサは、前記第１の通信インターフェイスを前記無線デバイスと関連付けるよう構成される、
付記１０に記載のシステム。
［付記１２］
前記無線デバイスは、
ゲートウェイ、
中継器、
ルーター、及び
クライアントデバイス
を含むグループの中から選択された少なくとも１つのデバイスである、
付記１１に記載のシステム。
［付記１３］
前記無線デバイスは、ＤＨＣＰサーバを有する、
付記１１又は１２に記載のシステム。
［付記１４］
コンピュータによって実行される場合に、
複数の通信インターフェイスを有する通信ネットワークデバイスにおいて実行され、前記通信インターフェイスのうちの第１の通信インターフェイスが第１の周波数で動作する無線インターフェイスである方法であって、前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継する方法において、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
方法を実行するプログラムコード命令を有することを特徴とするコンピュータプログラム。
［付記１５］
ソフトウェアプログラムを担持するコンピュータ可読記憶媒体であって、
前記ソフトウェアプログラムは、該ソフトウェアプログラムがコンピュータによって実行される場合に、
複数の通信インターフェイスを有する通信ネットワークデバイスにおいて実行され、前記通信インターフェイスのうちの第１の通信インターフェイスが第１の周波数で動作する無線インターフェイスである方法であって、前記複数の通信インターフェイスのうちの第２の通信インターフェイスを介して少なくとも１つの第１のフレームにおいて受信されるデータを、該データを少なくとも１つの第２のフレームにおいて前記第１の通信インターフェイスを介して転送することによって中継する方法において、
前記第２の通信インターフェイスが、前記第１の周波数とは異なる周波数で動作する無線インターフェイス、又は前記第１の通信インターフェイスの通信プロトコルとは異なる通信プロトコルを用いる通信インターフェイスである場合に、前記第２のフレームは、前記第１のフレームの送信器のアドレスであるソースアドレスを含み、
前記第２の通信インターフェイスが、前記第１の周波数で動作する無線インターフェイスである場合に、前記第２のフレームは、前記第１のフレームの前記送信器のアドレスとは異なるソースアドレスを含む、
方法を実行するプログラムコード命令を有する、
ことを特徴とするコンピュータ可読記憶媒体。